(57)【要約】【課題】商店等において個々の商品を後ろに傾けた状態で陳列する際、陳列された商品が転倒しがたい状態で商品の表示角度を自由に変えることができる傾斜陳列台を提供する。【解決手段】後部に門型支柱４を立設したスライドベース２の前方にスライド枠５が設けられ、該スライド枠５をフロントベース３の内側枠内に挿入して前後方向に伸縮自在にした傾斜陳列台１であって、門型支柱４の両側に枢支軸１６で回動自在に枢設された回転補助板７が倒立状態で固定可能とされる一方、フロントベース３の前端に立ち上げられた形状を有するストッパ枠６が形成されて成り、商品１０の背面を門型支柱４の上端又は倒立された回転補助板７によって支持する一方、該商品の前端をフロントベース３とストッパ枠６で係止し、このように陳列された商品１０の傾斜角度をフロントベース３とスライドベース２との伸縮長さによって調整するようにした。【選択図】図１２
2004321445.tif 000002
【特許請求の範囲】
【請求項１】
後部に門型支柱を立設したスライドベースの前方にスライド枠が設けられ、該スライド枠をフロントベースの内側枠内に挿入して前後方向に伸縮自在にした傾斜陳列台であって、前記門型支柱の両側に枢支軸で回動自在に枢設された回転補助板が倒立状態で固定可能とされる一方、フロントベースの前端に立ち上げられた形状を有するストッパ枠が形成されて成り、商品の背面を前記門型支柱の上端又は倒立された前記回転補助板によって支持する一方、該商品の前端を前記フロントベースと前記ストッパ枠で係止し、このように陳列された商品の傾斜角度を前記フロントベースと前記スライドベースとの伸縮長さによって調整するようにしたことを特徴とする傾斜陳列台。
【請求項２】
前記フロントベースの外周形状の周縁から垂下されたリブを有し、該フロントベースの両側リブの間に前記スライドベースのスライド枠を挿入すると共に、前記両側リブの各下端部に設けられた保持片で前記スライド枠をスライド自在に保持するようにしたことを特徴とする請求項１記載の傾斜陳列台。
【請求項３】
前記回転補助板の途中に係止片が形成され、該回転補助板が倒立した状態で前記係止片が前記門型支柱の上端に設けられた係止溝に嵌合されることによって、該回転補助板の倒立状態を固定するようにしたことを特徴とする請求項１又は２記載の傾斜陳列台。
【請求項４】
下方に回動した前記回転補助板を前記門型支柱の下方空間に収納自在にすると共に、前記回転補助板の端部に設けられた係止溝を前記スライドベースにおける前記門型支柱の下方に設けられた弾性片に係止するようにしたことを特徴とする請求項１、２又は３記載の傾斜陳列台。
【請求項５】
前記スライドベースのスライド枠の上面におけるスライド方向に所定間隔で係止溝が形成されると共に、前記フロントベースに形成された弾性片を前記係止溝のいずれかに係止することによって、前記スライドベースと前記フロントベースとの伸縮状態を所定位置で固定するようにしたことを特徴とする請求項１、２、３又は４記載の傾斜陳列台。
【請求項６】
前記フロントベースの上面に滑り止めを形成してあることを特徴とする請求項１、２、３、４又は５記載の傾斜陳列台。
【請求項７】
前記スライドベースと前記フロントベースの底部に脚部を設け、各脚部の下端に滑り止め用のシリコンゴムを固設したことを特徴とする請求項１、２、３、４、５又は６記載の傾斜陳列台。
【発明の詳細な説明】
【０００１】
【発明の属する技術分野】
本発明は、商店等において個々の商品を後ろに傾けた状態で陳列する際、陳列された商品の表示角度を自由に変えることができる傾斜陳列台に関するものである。
【０００２】
【従来の技術】
商店等に設けられた台の上に商品を後ろに傾けた状態で陳列するようにした従来の陳列台としては、下記の特許文献１又は特許文献２に記載されたものがある。
【０００３】
特許文献１に記載された発明は、「片段床滑り防止構造体」と称せられるもので、図１５に示すように、Ｌ字形に屈折した内装体３０の床領域の上面に仕切り３１で仕切られた波筋を横方向へ向けた多数の片段３２、３２…を乗せて合紙することにより片段内床板３３を構成し、内装体３０の内背板３４を垂直状態から背方へ傾斜させる構造を有し、また内装体３０を外箱３５へ収納することによって内装体３０のＬ字形状を保持してなるものである。
【０００４】
このような構造により、床面には片段３２を敷いて合紙してあるため、片段３２の波間へ陳列品３６の角が嵌りこんで滑りを防止することができ、また片段３２の波が小刻みであることから、陳列品３６の角度を微妙に変えられるという利点を有するものである。
【０００５】
また、特許文献２に記載された発明は、「商品支持具」と称せられるもので、図１６に示すように、平板形状の基部４０と逆Ｕ字型の支持部４１と、該支持部４１を構成する逆Ｕ字形状の上端側部から垂下するように設けられる支持柱部４２と、該支持柱部４２の先端側に設けられる一対の係止片４３、４３と、基部４０の後端側より水平方向に延出するように設けられる一対の柱係止部４４、４４と、該柱係止部４４に設けられる２以上の係止孔４５、４５…とを備えるものである。
【０００６】
この商品支持具の使用時には、係止片４３を任意の係止孔４５内に挿入して支持部４２を基部４０に対して任意の傾斜角度で係止でき、収納時には、基部４０と支持部４１と支持柱部４２と柱係止部４４とを折り畳んで平坦化するようにしたものである。
【０００７】
【特許文献１】
特開平１０−１９２１０８号公報（第１、２頁、図２）
【特許文献２】
特開２０００−２１７６７６号公報（第１、２頁、図４）
【０００８】
【発明が解決しようとする課題】
ところが、上記の特許文献１の発明は、外箱３５の形状が両側に直角三角形状の側壁３７、３７を有すると共に、その間が仕切り３１で仕切られているため、陳列品３６の幅が両側壁３７、３７の内側、さらには側壁３７と仕切り３１との間に納まるものでなければ陳列ができないという制限が伴う。
【０００９】
また、陳列品３６を係止する片段３２が浅いため、陳列品３６の下端部が滑りやすいうえ、内背板３４の高さが調整できないため、背の高い陳列品が後方へ転びやすいという欠点がある。
【００１０】
さらに、上記の特許文献２の発明は、平板形状の基部４０の上面に形成された積載物滑止部４７に商品４６の下端を係止する際、この積載物滑止部４７が鋸刃状の棒状突起を等間隔に並設したものであるため、確実な滑り止めとはならず、また商品４６の背面を支持する支持部４１の高さが変えられないため、背の高い商品４６を陳列すると、商品４６が後方へ転倒するという欠点がある。
【００１１】
本発明は、上記の欠点を解消すべく成されたもので、商店等において個々の商品を後ろに傾けた状態で陳列する際、陳列された商品が転倒しがたい状態で商品の表示角度を自由に変えることができる傾斜陳列台を提供することを目的とする。
【００１２】
【課題を解決するための手段】
上記の目的を達成するために、本発明の請求項１の傾斜陳列台は、後部に門型支柱を立設したスライドベースの前方にスライド枠が設けられ、該スライド枠をフロントベースの内側枠内に挿入して前後方向に伸縮自在にした傾斜陳列台であって、前記門型支柱の両側に枢支軸で回動自在に枢設された回転補助板が倒立状態で固定可能とされる一方、フロントベースの前端に立ち上げられた形状を有するストッパ枠が形成されて成り、商品の背面を前記門型支柱の上端又は倒立された前記回転補助板によって支持する一方、該商品の前端を前記フロントベースと前記ストッパ枠で係止し、このように陳列された商品の傾斜角度を前記フロントベースと前記スライドベースとの伸縮長さによって調整するようにしたことを特徴とする。
【００１３】
また、本発明の請求項２の傾斜陳列台は、請求項１において、前記フロントベースの外周形状の周縁から垂下されたリブを有し、該フロントベースの両側リブの間に前記スライドベースのスライド枠を挿入すると共に、前記両側リブの各下端部に設けられた保持片で前記スライド枠をスライド自在に保持するようにしたことを特徴とする。
【００１４】
また、本発明の請求項３の傾斜陳列台は、請求項１又は２において、前記回転補助板の途中に係止片が形成され、該回転補助板が倒立した状態で前記係止片が前記門型支柱の上端に設けられた係止溝に嵌合されることによって、該回転補助板の倒立状態を固定するようにしたことを特徴とする。
【００１５】
また、本発明の請求項４の傾斜陳列台は、請求項１、２又は３において、下方に回動した前記回転補助板を前記門型支柱の下方空間に収納自在にすると共に、前記回転補助板の端部に設けられた係止溝を前記スライドベースにおける前記門型支柱の下方に設けられた弾性片に係止するようにしたことを特徴とする。
【００１６】
また、本発明の請求項５の傾斜陳列台は、請求項１、２、３又は４において、前記スライドベースのスライド枠の上面におけるスライド方向に所定間隔で係止溝が形成されると共に、前記フロントベースに形成された弾性片を前記係止溝のいずれかに係止することによって、前記スライドベースと前記フロントベースとの伸縮状態を所定位置で固定するようにしたことを特徴とする。
【００１７】
また、本発明の請求項６の傾斜陳列台は、請求項１、２、３、４又は５において、前記フロントベースの上面に滑り止めを形成してあることを特徴とする。
【００１８】
さらに、本発明の請求項７の傾斜陳列台は、請求項１、２、３、４、５又は６において、前記スライドベースと前記フロントベースの底部に脚部を設け、各脚部の下端に滑り止め用のシリコンゴムを固設したことを特徴とする。
【００１９】
【発明の実施の形態】
以下、本発明の実施例について図面を参照しながら説明する。
【００２０】
本実施例の傾斜陳列台１は、図１に示すように、後部に門型支柱４が立設されると共に前方にスライド枠５を有するスライドベース２と、前端にストッパ枠６が形成されたフロントベース３とから構成されている。
【００２１】
このような傾斜陳列台１について詳細に述べると、これらのスライドベース２及びフロントベース３に使用する材料は、ポリカーボネート等を使用した合成樹脂の一体成形によるのが好ましい。なお、意匠上の配慮から透明の合成樹脂を利用して全体を透明としてもよい。
【００２２】
図１に示すように、スライドベース２とフロントベース３とは所定の厚さを有する板状に形成されている。その内部構造は、図３又は図５に示すように、スライド枠５を含むスライドベース２及びフロントベース３の外側及び内側の所要個所に補強用のリブ８が形成されたことにより、軽量化及び補強化が図られている。
【００２３】
図１又は図２に示すように、スライドベース２は後方の幅が拡大された形状を有し、その前方に平面形状が長方形のスライド枠５を有する。このスライド枠５は、フロントベース３の内側枠内２０（図３参照）に挿入して前後方向に伸縮自在とされている。その構造として、図３、図５、図６に示すように、フロントベース３の両側リブ８ａ、８ａ間にスライドベース２のスライド枠５を挿入すると共に、両側リブ８ａ、８ａの各下端部に突設した保持片９、９でスライド枠５の両側リブ８ｂ、８ｂを保持することによって前後方向にスライド自在としている。
【００２４】
このような構成により、図４に示すように、手作業でスライドベース２をフロントベース３から引き出すことによって、傾斜陳列台１を、図１または図２に示すように引き伸ばした状態（開いた状態）にし、または図７に示すように縮めた状態（閉じた状態）にすることができる。
【００２５】
また、このようなスライドベース２のスライド枠５の上面において、スライド方向に所定間隔で係止溝１１、１１…が左右対称位置に形成され、これらの係止溝１１、１１…の左右の幅に相応してフロントベース３に弾性片１２、１２が形成されている。このような構成により、弾性片１２、１２の下方突出部が所望の係止溝１１、１１に係止されることによって、スライドベース２とフロントベース３との伸縮状態を所定位置で固定した状態にすることができる。
【００２６】
なお、スライドベース２のスライド枠５の中央には係止溝１１、１１…の前後方向の離間幅に対応して、例えば１から４という数字が付された数字表示部２３が形成されている。これは、上記のようにスライドベース２をフロントベース３から引き出した度合いを１から４までの数字で表すためのものであり、意匠性の効果も兼ねて設けられたものである。
【００２７】
また、スライドベース２において、スライド枠５の後方における境界には段差５ａが形成され、スライドベース２をフロントベース３に完全に押し込んだ状態で、段差５ａがフロントベース３の後端に当接した際のストッパとして機能する。
【００２８】
なお、スライド枠５の段差５ａの中央には、半円弧の突起２４が形成され、スライドベース２をフロントベース３に完全に押し込んだ際、フロントベース３の後端の中央に形成された半円弧の凹部２５に嵌合するようにしてある。これにより、スライドベース２をフロントベース３に閉じた状態における横方向のずれを防止することができる。
【００２９】
さらに、本実施例においては、図１に示すように、フロントベース３の前端に該フロントベース３の上面から立ち上げた形状を有するストッパ枠６が形成されている。このストッパ枠６は、図１４に示すように商品１０の前端１０ａを係止するために設けられたものである。なお、図１３に示すように、フロントベース３の上面に商品１０を載置したとき、前方にはストッパ枠６のみが露呈する。
【００３０】
また、図１又は図２に示すように、ストッパ枠６の内側には複数の縦状突起６ａ、６ａ…が互いに間をあけて形成され、図１３に示すように、このストッパ枠６に商品１０の前端１０ａを係止した場合の横方向への滑り止めをするようにしている。
【００３１】
さらに、フロントベース３の上面には滑り止め１３が形成されている。この滑り止め１３は、前後方向に所定間隔で設けられた筋状凸部により形成され、そのいずれかに商品１０の角部１０ａを係止して該商品１０の滑り止めを成すようにしたものである。
【００３２】
一方、スライドベース２の後部には門型支柱４が立設形成されている。この門型支柱４は、両側に形成された両側支柱１４、１４の上端に梁部１５が形成されてなるものである。また、梁部１５は、図９に示すように、回転補助板７を下方に垂下した状態で収納するために両側支柱１４、１４の奥行き幅に対して前部が凹んだ凹面１５ａを有し、これに回転補助板７の上部に形成された凹面７ａを合わせることによって、回転補助板７を垂直上方へ倒立した状態にすることができる。
【００３３】
また、門型支柱４における梁部１５の下方空間１７に収納される回転補助板７は、図２、図８又は図９に示すように、回転補助板７の両側上部に形成した切込部７ｃを介して弾性片７ｂが設けられ、両側の弾性片７ｂ、７ｂに突設された枢支軸１６、１６を門型支柱４の両側支柱１４、１４に形成された枢支穴１４ａ、１４ａに嵌めこんで、回動自在に枢着してある。このような構造により、図１０に示すように手作業で回転補助板７の回転を行なうと、図１１に示すように、回転補助板７を倒立状態にすることができる。
【００３４】
また、回転補助板７の途中に係止片１８が突設され、図９に示すように、該回転補助板７が倒立した状態で係止片１８が門型支柱４の上端に設けられた係止溝１９に嵌合されることによって、この回転補助板７の倒立状態を固定するようにしている。
【００３５】
さらに、図９に示すように、下方に回転した回転補助板７を門型支柱４の下方空間１７に収納自在にすると共に、回転補助板７の端部に設けられた係止溝２１をスライドベース２における門型支柱４の下方（下方空間１７の底部）に設けられた弾性片２２に係止するようにしている。この弾性片２２は、スライドベース２の後部から片持ち式に形成され、自由端側に上方へ向いた突起を有するものである。
【００３６】
上記の構成により、図１０に示すように手作業で回転補助板７を回動すると、スライドベース２の弾性片２２が回転補助板７の係止溝２１に係止された状態から解除され、図９（ａ）に示すように回転補助板７を倒立する方向へ回転する。このとき回転補助板７の係止片１８が門型支柱４の係止溝１９に嵌合され、回転補助板７の倒立状態を固定する。
【００３７】
さらに、図３又は図５に示すように、スライドベース２の底部における離間した２箇所とフロントベース３の底部における離間した２箇所に脚部２６、２６…が設けられ、各脚部２６の下端に滑り止め用のシリコンゴム２７が固設されている。この滑り止め用のシリコンゴム２７によって、傾斜陳列台１をガラス等のように滑りやすい陳列棚に安定して設置することが可能となる。
【００３８】
上記の構成により、本発明の傾斜陳列台１を使用するには、図１３又は図１４に示すように、商品１０の背面を門型支柱４の上端又は倒立された回転補助板７の上端によって支持する一方、商品１０の前端１０ａをフロントベース３の上面に載置してストッパ枠６で係止した状態とし、商品１０の所望の傾斜角度をフロントベース３とスライドベース２との伸縮具合によって調整する。
【００３９】
さらに、陳列すべき商品１０のサイズに応じて、傾斜陳列台１のフロントベース３とスライドベース２との伸縮具合や回転補助板７を倒立するか又は収納するか等の調整を行うことによって、商品１０を安定した傾斜状態に陳列することができる。
【００４０】
【発明の効果】
以上説明したように、本発明の傾斜陳列台は、商店等において個々の商品を後ろに傾けた状態で陳列する際、陳列された商品が幅広の門型支柱又は倒立した回転補助板によって商品の背面を支持する一方、該商品の前端をフロントベースの上面に載置すると共にストッパ枠で係止したことにより、商品を安定した傾斜状態に陳列することが可能となる。
【００４１】
また、本発明の傾斜陳列台によれば、陳列した商品の傾斜角度をフロントベースとスライドベースとの伸縮具合、或いは回転補助板を倒立するか、又は収納するか等の簡単な調整を行うことによって変えることができる。
【００４２】
また、本発明の傾斜陳列台は、フロントベースの両側リブの間にスライドベースのストッパ枠を挿入すると共に、両側リブの各下端部に設けられた保持片でスライド枠をスライド自在に保持するものとした簡単な構造によって、フロントベースとスライドベースとの伸縮具合を調整することができる。
【００４３】
また、本発明の傾斜陳列台においては、門型支柱に回転自在に枢設された回転補助板が倒立した状態で該回転補助板の係止片が門型支柱の上端に設けられた係止溝に嵌合されることによって、該回転補助板の倒立状態を固定することが可能とされ、簡単な構造及び操作によって回転補助板の倒立及び固定を行うことができる。
【００４４】
また、本発明の傾斜陳列台は、下方に回動した回転補助板を門型支柱の下方空間に収納自在にすると共に、回転補助板の端部に設けられた係止溝をスライドベースにおける門型支柱の下方に設けられた弾性片に係止するという簡単な構造及び操作によって、回転補助板を門型支柱の下方空間に収納すると共に、この収納状態を固定することができる。
【００４５】
また、本発明の傾斜陳列台は、フロントベースに形成された弾性片をスライドベースのスライド枠の上面に所定間隔で形成された係止溝のいずれかに係止するという簡単な構造及び操作によって、スライドベースとフロントベースとの伸縮状態を段階的に所定位置で固定することができる。
【００４６】
また、本発明の傾斜陳列台は、フロントベースの上面に滑り止めを形成してあり、これによってフロントベースの上面に載置した商品の前端を係止して滑り止めのなされた安定した状態で陳列することが可能となる。
【００４７】
さらに、本発明の傾斜陳列台においては、スライドベースとフロントベースの底部に脚部を設け、各脚部の下端に滑り止め用のシリコンゴムが固設されたことにより、ガラス等のように滑りやすい陳列棚に設置した場合でも、該傾斜陳列台を安定して設置することが可能となる。
【図面の簡単な説明】
【図１】本発明による傾斜陳列台の全体斜視図であり、回転補助板は収納し、スライドベースをフロントベースから引き出した状態を示す。
【図２】本発明による傾斜陳列台の全体上面図であり、スライドベースをフロントベースから引き出した状態を示す。
【図３】本発明による傾斜陳列台の全体底面図であり、スライドベースをフロントベースから引き出した状態を示す。
【図４】本発明による傾斜陳列台の部分斜視図であり、手作業でスライドベースをフロントベースから引き出している状況を示す。
【図５】本発明による傾斜陳列台を底部から見た全体斜視図であり、回転補助板は収納し、スライドベースをフロントベースから引き出した状態を示す。
【図６】図４のＡ−Ａ矢示線断面図である。
【図７】本発明による傾斜陳列台の全体斜視図であり、回転補助板は収納し、スライドベースをフロントベースに収納した状態を示す。
【図８】本発明による傾斜陳列台の前面図を示す。
【図９】図８のＢ−Ｂ矢示線断面図であり、（ａ）は回転補助板を倒立し、（ｂ）は回転補助板を収納した状況を示す。
【図１０】本発明による傾斜陳列台の全体斜視図であり、手作業で回転補助板を倒立している状況を示す。
【図１１】本発明による傾斜陳列台の全体斜視図であり、回転補助板は倒立し、スライドベースをフロントベースに収納した状態を示す。
【図１２】本発明による傾斜陳列台の全体斜視図であり、回転補助板は倒立し、スライドベースをフロントベースからやや引き出した状態を示す。
【図１３】本発明による傾斜陳列台に商品を陳列した状況を示す斜視図である。
【図１４】本発明による傾斜陳列台に商品を陳列した状況を示す側面図である。
【図１５】従来の片段床滑り防止構造体を示す斜視図である。
【図１６】従来の商品支持具を示す斜視図である。
【符号の説明】
１…傾斜陳列台
２…スライドベース
３…フロントベース
４…門型支柱
５…スライド枠
５ａ…段差
６…ストッパ枠
６ａ…縦状突起
７…回転補助板
７ａ…回転補助板の凹面
８…リブ
８ａ…フロントベースの両側リブ
８ｂ…スライド枠の両側リブ
９…保持片
１０…商品
１１…係止溝
１２…弾性片
１３…滑り止め
１４…両側支柱
１４ａ…枢支穴
１５…梁部
１５ａ…梁部の凹面
１６…枢支軸
１７…下方空間
１８…係止片
１９…係止溝
２０…内側枠内
２１…係止溝
２２…弾性片
２３…数字表示部
２４…半円弧の突起
２５…半円弧の凹部
２６…脚部
２７…シリコンゴム
【図１】
2004321445.tif 000003
【図２】
2004321445.tif 000004
【図３】
2004321445.tif 000005
【図４】
2004321445.tif 000006
【図５】
2004321445.tif 000007
【図６】
2004321445.tif 000008
【図７】
2004321445.tif 000009
【図８】
2004321445.tif 000010
【図９】
2004321445.tif 000011
【図１０】
2004321445.tif 000012
【図１１】
2004321445.tif 000013
【図１２】
2004321445.tif 000014
【図１３】
2004321445.tif 000015
【図１４】
2004321445.tif 000016
【図１５】
2004321445.tif 000017
【図１６】
2004321445.tif 000018